(57)【要約】【課題】本発明の目的は、施設内で貸し出される機器の管理を効率的に行うことができる機器管理システムを提供することである。【解決手段】機器管理システム１０は、施設６０内において貸し出される機器３０を管理するためのシステムであって、表示端末２０と、サーバ５０と、複数の無線中継器４０とを備える。表示端末２０は、機器３０に付随する端末である。サーバ５０は、表示端末２０と無線通信可能に接続される。無線中継器４０は、施設６０内に設置され、サーバ５０と表示端末２０との間の通信を中継する。サーバ５０は、表示端末２０と無線中継器４０との間の通信状況に基づいて表示端末２０の位置を推定する。サーバ５０は、少なくとも表示端末２０の位置を含む情報に基づいて、機器３０の状態に関する機器情報を表示端末２０に送信する。表示端末２０は、サーバ５０から受信した機器情報を表示する。【選択図】図１
2015170000.tif 000002
【特許請求の範囲】
【請求項１】
施設内において貸し出される機器を管理するための機器管理システムであって、
前記機器に付随する表示端末と、
前記表示端末と無線通信可能に接続されるサーバと、
前記施設内に設置され、前記サーバと前記表示端末との間の通信を中継する複数の無線中継器と、
を備え、
前記サーバは、前記表示端末と前記無線中継器との間の通信状況に基づいて前記表示端末の位置を推定し、少なくとも前記位置を含む情報に基づいて、前記機器の状態に関する機器情報を前記表示端末に送信し、
前記表示端末は、前記サーバから受信した前記機器情報を表示する、
機器管理システム。
【請求項２】
前記表示端末は、複数の前記無線中継器のいずれか１つのみを通信対象として選択し、
前記サーバは、前記表示端末と通信可能な前記無線中継器の設置場所に基づいて、前記表示端末の位置を推定する、
請求項１に記載の機器管理システム。
【請求項３】
前記表示端末は、受信可能な電波の強度が最も高い前記無線中継器を通信対象として選択する、
請求項２に記載の機器管理システム。
【請求項４】
前記機器情報は、前記表示端末が付随する前記機器の現在の位置、前記表示端末が付随する前記機器が貸し出された者の名前、前記表示端末が付随する前記機器の貸し出し期限、および、前記表示端末が付随する前記機器が利用中、待機中または放置中であるという現在状態の少なくとも一部を含む、
請求項１から３のいずれか１項に記載の機器管理システム。
【請求項５】
前記サーバは、前記機器情報が少なくとも前記貸し出し期限を含み、かつ、前記貸し出し期限が過ぎていた場合、前記機器の返却を要求する警告に関する情報を、前記機器に付随する前記表示端末にさらに送信する、
請求項４に記載の機器管理システム。
【請求項６】
前記サーバは、前記貸し出し期限が過ぎていた場合、前記施設内における前記機器の返却場所に関する情報を、前記機器に付随する前記表示端末にさらに送信する、
請求項５に記載の機器管理システム。
【請求項７】
前記サーバは、前記表示端末の位置が所定の時間以上変わっていないと推定した場合、前記機器が使用されていない旨に関する情報を、前記機器に付随する前記表示端末にさらに送信する、
請求項１から６のいずれか１項に記載の機器管理システム。
【発明の詳細な説明】
【技術分野】
【０００１】
本発明は、機器管理システムに関する。
【背景技術】
【０００２】
従来、特許文献１（特開２００５−１０９９１９号公報）に開示されるように、施設内で利用される機器の位置を管理するためのシステムが利用されている。このシステムでは、各機器には、機器のＩＤが格納されている無線タグが取り付けられている。機器のＩＤは、無線タグリーダによって非接触で定期的に読み取られ、アクセスポイントを介して施設内のサーバに送信される。これにより、このシステムは、各機器の位置を特定することができる。
【発明の概要】
【発明が解決しようとする課題】
【０００３】
しかし、例えば、病院内で患者に一時的に貸し出される機器の管理は、貸し出された患者に一任されるので、機器の位置が迅速に把握できないことがある。一例として、患者に貸し出される機器が車椅子である場合について説明する。この場合、患者が車椅子の返却場所を把握していないために、患者は、車椅子を所定の場所に返却せず、任意の場所に放置してしまう可能性がある。また、一見誰にも使用されていない車椅子が病院内にある場合、その車椅子が、患者に放置された状態にあるのか、または、患者によって一時的に使用されていないだけの状態にあるのか、車椅子を視認するだけでは判断が難しいことがある。特許文献１（特開２００５−１０９９１９号公報）に開示されるシステムでは、サーバを用いて施設内の各機器の位置を把握することはできるが、機器のみを用いて当該機器の位置を把握することはできない。このように、従来の機器管理システムは、施設内で一時的に貸し出される機器の管理を迅速に行うことが難しい場合がある。
【０００４】
本発明の目的は、施設内で貸し出される機器の管理を効率的に行うことができる機器管理システムを提供することである。
【課題を解決するための手段】
【０００５】
本発明に係る機器管理システムは、施設内において貸し出される機器を管理するための機器管理システムであって、表示端末と、サーバと、複数の無線中継器とを備える。表示端末は、機器に付随する端末である。サーバは、表示端末と無線通信可能に接続される。無線中継器は、施設内に設置され、サーバと表示端末との間の通信を中継する。サーバは、表示端末と無線中継器との間の通信状況に基づいて表示端末の位置を推定する。サーバは、少なくとも表示端末の位置を含む情報に基づいて、機器の状態に関する機器情報を表示端末に送信する。表示端末は、サーバから受信した機器情報を表示する。
【０００６】
この機器管理システムでは、施設内で貸し出される機器のそれぞれに、表示端末が取り付けられている。サーバは、施設内に設置されている無線中継器を介して、機器の状態に関する種種の情報を、当該機器に付随する表示端末に送信することができる。施設内の人間は、機器に付随する表示端末を視認して、当該機器の状態を把握することができる。例えば、サーバは、機器の利用者に関する情報を、当該機器に付随する表示端末に送信することができる。この場合、施設内の人間は、機器の利用者を、当該機器に付随する表示端末を用いて確認することができる。このように、施設内の人間は、サーバを用いることなく、表示端末のみを用いて、施設内で貸し出される機器の状態を迅速に把握することができる。従って、この機器管理システムは、施設内で貸し出される機器の管理を効率的に行うことができる。
【０００７】
また、本発明に係る機器管理システムでは、表示端末は、複数の無線中継器のいずれか１つのみを通信対象として選択することが好ましい。この場合、サーバは、表示端末と通信可能な無線中継器の設置場所に基づいて、表示端末の位置を推定することが好ましい。
【０００８】
この機器管理システムでは、サーバは、全ての無線中継器の設置場所に関する情報を保持している。サーバは、表示端末の通信対象である無線中継器の設置場所に基づいて、当該表示端末の現在位置を推定することができる。
【０００９】
また、本発明に係る機器管理システムでは、表示端末は、受信可能な電波の強度が最も高い無線中継器を通信対象として選択することが好ましい。
【００１０】
この機器管理システムでは、表示端末は、自身に近い場所に設置されている無線中継器を通信対象として選択することができる。そのため、サーバは、表示端末の通信対象である無線中継器の設置場所に基づいて、当該表示端末の現在位置を精度よく推定することができる。
【００１１】
また、本発明に係る機器管理システムでは、機器情報は、表示端末が付随する機器の現在の位置、表示端末が付随する機器が貸し出された者の名前、表示端末が付随する機器の貸し出し期限、および、表示端末が付随する機器が利用中、待機中または放置中であるという現在状態の少なくとも一部を含むことが好ましい。
【００１２】
また、本発明に係る機器管理システムでは、サーバは、機器情報が少なくとも貸し出し期限を含み、かつ、貸し出し期限が過ぎていた場合、機器の返却を要求する警告に関する情報を、機器に付随する表示端末にさらに送信することが好ましい。
【００１３】
また、本発明に係る機器管理システムでは、サーバは、貸し出し期限が過ぎていた場合、施設内における機器の返却場所に関する情報を、機器に付随する表示端末にさらに送信することが好ましい。
【００１４】
また、本発明に係る機器管理システムは、サーバは、表示端末の位置が所定の時間以上変わっていないと推定した場合、機器が使用されていない旨に関する情報を、機器に付随する表示端末にさらに送信することが好ましい。
【００１５】
この機器管理システムでは、サーバは、表示端末の現在位置が一定時間以上変わらない場合、当該表示端末が取り付けられている機器が施設内で放置されていると判断する。
【発明の効果】
【００１６】
本発明に係る機器管理システムは、施設内で貸し出される機器の管理を効率的に行うことができる。
【図面の簡単な説明】
【００１７】
【図１】本発明の第１実施形態に係る機器管理システムのブロック図である。
【図２】機器管理システムが採用されている病院の見取り図の一例である。
【図３】表示端末の外観図である。
【図４】サーバの構成を示すブロック図である。
【図５】機器情報データベースの一例である。
【図６】車椅子が貸し出されて返却されるまでのフローチャートである。
【図７】機器情報データベースの一例である。
【図８】待機中の車椅子の表示端末の表示例である。
【図９】利用中の車椅子の表示端末の表示例である。
【図１０】返却警告を表示する表示端末の表示例である。
【図１１】車椅子の返却場所を表示する表示端末の表示例である。
【図１２】本発明の第２実施形態に係る機器管理システムのブロック図である。
【図１３】機器管理システムが採用されている病院の見取り図の一例である。
【図１４】トレイの外観図である。
【図１５】サーバの構成を示すブロック図である。
【図１６】食事情報データベースの一例である。
【図１７】調理室および廊下にあるトレイの表示端末の表示例である。
【図１８】病室にあるトレイの表示端末の表示例である。
【発明を実施するための形態】
【００１８】
本発明の実施形態について、図面を参照しながら説明する。以下に説明される実施形態は、本発明の具体例の一つであって、本発明の技術的範囲を限定するものではない。
【００１９】
―第１実施形態―
本発明の第１実施形態に係る機器管理システムについて、図面を参照しながら説明する。
【００２０】
（１）機器管理システムの構成
本実施形態に係る機器管理システム１０は、病院内で貸し出される車椅子を管理するためのシステムである。図１は、機器管理システム１０の構成を示すブロック図である。機器管理システム１０は、主として、複数の表示端末２０と、複数の車椅子３０と、複数の無線中継器４０と、サーバ５０とから構成される。機器管理システム１０は、例えば、病院６０のイントラネット内に構築されるシステムである。
【００２１】
図２は、機器管理システム１０が採用されている病院６０の見取り図の一例である。病院６０は、第１エリア６１、第２エリア６２、第３エリア６３、第４エリア６４、第５エリア６５および第６エリア６６を有する。第１乃至第６エリア６１〜６６は、車椅子３０の利用者の進入が許可されているエリアである。第１乃至第６エリア６１〜６６は、それぞれ、エントランス、待合室、診察室、廊下、病室、トイレおよび浴室等の任意の領域である。次に、機器管理システム１０の各構成要素について説明する。
【００２２】
（１−１）表示端末
表示端末２０は、病院６０内で使用される無線通信端末である。図３は、表示端末２０の外観図である。表示端末２０は、主として、表示部２１と、無線通信部２２と、入力部２３とを備える。表示部２１は、電子ペーパー等の低消費電力ディスプレイである。電子ペーパーは、表示の維持に電力を消費しないため、表示を頻繁に変更しない場合にはバッテリーを長期間交換することなく使用し続けることができる。なお、表示部２１は、タッチパネル式のディスプレイであってもよい。無線通信部２２は、無線中継器４０と無線通信する機能を有する組み込みのネットワーク機器である。入力部２３は、表示端末２０の操作に用いられるインターフェイスである。入力部２３は、例えば、表示部２１の近傍に設けられているボタンである。なお、表示端末２０は、入力部２３を有していなくてもよい。
【００２３】
表示端末２０は、車椅子３０に取り付けられている。表示端末２０は、車椅子３０の利用者および病院６０の職員等が車椅子３０から容易に取り外しできないように、車椅子３０に固定されている。機器管理システム１０において、１つの表示端末２０は、１つの車椅子３０に付随している。
【００２４】
表示端末２０の無線通信部２２は、複数の無線中継器４０のいずれか１つを通信対象として選択して、選択した無線中継器４０と無線通信を行う。具体的には、表示端末２０の無線通信部２２は、受信可能な電波の強度が最も高い無線中継器４０を通信対象として選択する。表示端末２０の無線通信部２２は、通信対象として選択した無線中継器４０を介して、当該表示端末２０が取り付けられている車椅子３０の状態に関する情報をサーバ５０から受信する。表示端末２０の表示部２１は、サーバ５０から受信した情報を表示する。
【００２５】
（１−２）車椅子
車椅子３０は、病院６０内で入院患者等に貸し出される機器である。各車椅子３０には、１つの表示端末２０が取り付けられている。表示端末２０は、例えば、車椅子３０の側部および背面等の、表示部２１を視認しやすい位置に取り付けられている。各車椅子３０には、固有のＩＤ番号が割り当てられている。
【００２６】
車椅子３０は、利用されていない間、病院６０内の所定の貸し出し場所に置かれている。病院６０の入院患者は、所定の貸し出し登録手続きを行うことによって、貸し出し場所から車椅子３０を持ち出して、予め設定された貸し出し期限日まで、病院６０内で車椅子３０を利用することができる。入院患者は、車椅子３０を利用し終わった後、病院６０内の所定の返却場所に車椅子３０を戻す。車椅子３０の返却場所は、車椅子３０の貸し出し場所と同じであってもよい。本実施形態では、第１エリア６１は、車椅子３０の貸し出し場所、および、車椅子３０の返却場所である。
【００２７】
（１−３）無線中継器
無線中継器４０は、病院６０内における表示端末２０のアクセスポイントとして使用される機器である。無線中継器４０は、表示端末２０とサーバ５０との間の通信を中継する。無線中継器４０は、図１に示されるように、第１乃至第６エリア６１〜６６の各エリアに少なくとも１つ設置されている。各無線中継器４０は、サーバ５０と有線接続されている。
【００２８】
（１−４）サーバ
サーバ５０は、病院６０内の管理サーバ室に設置されているコンピュータである。サーバ５０は、主として、機器管理システム１０の管理者によって使用される。サーバ５０は、無線中継器４０を介して、表示端末２０と無線通信することができる。
【００２９】
図４は、サーバ５０の構成を示すブロック図である。サーバ５０は、主として、通信部５１と、位置推定部５２と、機器情報管理部５３とから構成される。通信部５１、位置推定部５２および機器情報管理部５３は、サーバ５０のＣＰＵ等の処理装置で実行されるプログラムである。プログラムの実行に用いられるデータは、サーバ５０のメモリおよびＨＤＤ等の記憶装置に記憶される。なお、サーバ５０は、全ての無線中継器４０の設置場所に関する情報を記憶している。
【００３０】
通信部５１は、サーバ５０に内蔵されているネットワーク機器等を用いて、無線中継器４０と無線通信を行う。なお、通信部５１は、サーバ５０に接続されているハブおよびルータ等を介して、無線中継器４０と無線通信を行ってもよい。通信部５１は、後述する車椅子３０の機器情報を、無線中継器４０を介して、当該車椅子３０に付随する表示端末２０に送信する。
【００３１】
位置推定部５２は、表示端末２０と無線中継器４０との間の通信状況に基づいて、病院６０内における各表示端末２０の現在位置を推定する。具体的には、位置推定部５２は、各表示端末２０の現在位置が第１乃至第６エリア６１〜６６のどのエリアであるのかを推定する。位置推定部５２は、表示端末２０が通信対象として選択した無線中継器４０の設置場所に関する情報に基づいて、当該表示端末２０の現在位置を推定する。例えば、位置推定部５２は、第１エリア６１に設置されている無線中継器４０と無線通信している表示端末２０の現在位置は第１エリア６１であると推定する。
【００３２】
機器情報管理部５３は、各車椅子３０の状態に関する情報である機器情報を管理する。サーバ５０は、各車椅子３０の機器情報を格納する機器情報データベースを記憶している。機器情報管理部５３は、必要に応じて、機器情報データベースを更新し、機器情報データベースからデータを取得する。図５は、機器情報データベース７０の一例である。機器情報データベース７０は、各車椅子３０に対応するレコードを格納する。各レコードは、ＩＤ番号７１、現在状態７２、現在位置７３、利用者名７４および貸し出し期限７５を格納する。機器情報データベース７０は、ＩＤ番号７１を主キーとして車椅子３０の機器情報を管理する。
【００３３】
機器情報データベース７０の各レコードに格納されるデータについて説明する。ＩＤ番号７１は、貸し出し対象の全ての車椅子３０に一意に割り当てられる３桁の数値である。現在状態７２は、車椅子３０の現在の状態を表し、「利用中」、「待機中」および「放置中」のいずれかの文字列である。「利用中」は、車椅子３０が貸し出されている状態を表す。「待機中」は、車椅子３０の貸し出し場所および返却場所である第１エリア６１に車椅子３０が置かれてあり、車椅子３０が貸し出されていない状態を表す。「待機中」は、車椅子３０が貸し出し可能である状態を表す。「放置中」は、車椅子３０が第１エリア６１以外のエリアに長期間放置されている状態を表す。現在位置７３は、車椅子３０の現在の位置を表し、「第１エリア」、「第２エリア」、「第３エリア」、「第４エリア」、「第５エリア」および「第６エリア」のいずれかの文字列である。例えば、現在位置７３が「第１エリア」である車椅子３０は、第１エリア６１に置かれている。利用者名７４は、車椅子３０の利用者の名前、すなわち、車椅子３０が貸し出された者の名前である。貸し出し期限７５は、車椅子３０の利用が許可される最終日を表す年月日である。なお、機器情報データベース７０において、現在状態７２が「待機中」である車椅子３０には、利用者名７４および貸し出し期限７５が設定されない。
【００３４】
機器情報管理部５３は、機器情報データベース７０に格納される車椅子３０の現在位置７３として、位置推定部５２が推定した、当該車椅子３０に付随する表示端末２０の最新の現在位置を利用する。具体的には、位置推定部５２は、表示端末２０の通信対象である無線中継器４０が変更される度に表示端末２０の現在位置を推定し、機器情報管理部５３は、表示端末２０の推定された現在位置に基づいて、機器情報データベース７０に格納される車椅子３０の現在位置７３を自動的に更新する。例えば、車椅子３０の利用者が第２エリア６２から第３エリア６３に移動した場合、位置推定部５２は、車椅子３０に付随する表示端末２０の移動後の現在位置は第３エリア６３であると推定し、機器情報管理部５３は、機器情報データベース７０に格納される車椅子３０の現在位置７３を「第２エリア」から「第３エリア」に自動的に変更する。これにより、機器情報データベース７０には、常に、車椅子３０の最新の現在位置７３が格納される。
【００３５】
（２）機器管理システムの運用
本実施形態に係る機器管理システム１０の具体的な運用について、図６を参照しながら説明する。図６は、病院６０内の入院患者に車椅子３０が貸し出されて返却されるまでのフローチャートである。
【００３６】
最初に、車椅子３０の利用を希望する者は、病院６０内の所定の受付において車椅子３０の貸し出し登録手続きを行う（ステップＳ１）。貸し出し登録手続きでは、病院６０の担当職員は、サーバ５０に接続されている端末等を用いて、サーバ５０に記憶されている機器情報データベース７０を更新する。具体的には、担当職員は、機器情報データベース７０において現在状態７２が「待機中」となっている車椅子３０の一つを貸し出し対象として選択する。次に、担当職員は、貸し出し対象として選択した車椅子３０の利用者名および貸し出し期限を端末に入力する。サーバ５０の機器情報管理部５３は、担当職員が入力したデータに基づいて、貸し出し対象として選択された車椅子３０のＩＤ番号７１に対応する現在状態７２、利用者名７４および貸し出し期限７５を変更して、機器情報データベース７０を更新する。具体的には、機器情報管理部５３は、機器情報データベース７０の更新時において、現在状態７２を「待機中」から「利用中」に変更し、利用者名７４を担当職員が入力した名前に変更し、貸し出し期限７５を担当職員が設定した年月日に変更する。図７は、機器情報データベース７０の一例であり、図５においてＩＤ番号７１が「００２」である車椅子３０の貸し出し登録手続きが行われた直後の機器情報データベース７０を表す。
【００３７】
次に、サーバ５０は、貸し出し登録手続きが行われた車椅子３０に取り付けられている表示端末２０に、当該車椅子３０の機器情報を送信する（ステップＳ２）。具体的には、サーバ５０は、機器情報データベース７０を参照して、貸し出し登録手続きが行われた車椅子３０の現在状態７２、利用者名７４および貸し出し期限７５を、当該車椅子３０に付随する表示端末２０に送信する。次に、車椅子３０の機器情報を受信した表示端末２０は、受信した機器情報の少なくとも一部を表示部２１に表示する（ステップＳ３）。
【００３８】
ここで、表示端末２０の表示部２１に表示されるデータに関して説明する。図８は、機器情報データベース７０に格納される現在状態７２が「待機中」である車椅子３０に付随する表示端末２０の表示例である。図９は、機器情報データベース７０に格納される現在状態７２が「利用中」である車椅子３０に付随する表示端末２０の表示例である。図８に示されるように、車椅子３０の現在状態が「待機中」である場合、表示端末２０には「貸し出し可」の文字列が表示される。図９に示されるように、車椅子３０の現在状態が「利用中」である場合、表示端末２０には「ご利用中」の文字列に加えて、機器情報データベース７０に格納されている、車椅子３０の利用者名７４および貸し出し期限７５が表示される。
【００３９】
次に、サーバ５０は、貸し出し登録手続きが行われ、機器情報データベース７０に格納される現在状態７２が「利用中」である車椅子３０に関して、貸し出し期限７５が過ぎているか否かを判断する（ステップＳ４）。貸し出し期限７５が過ぎている場合、サーバ５０は、当該車椅子３０に付随する表示端末２０に、貸し出し期限７５が過ぎているため車椅子３０を返却場所に戻す必要がある旨の返却警告を送信する。表示端末２０は、受信した返却警告を表示する（ステップＳ５）。図１０は、返却警告を表示する表示端末２０の表示例である。図１０に示されるように、貸し出し期限７５が過ぎている車椅子３０の表示端末２０には、「要返却」および「返却をお願いします」等の文字列が表示される。
【００４０】
次に、サーバ５０は、貸し出し期限７５が過ぎていないと判断された車椅子３０に関して、当該車椅子３０が放置されているか否かを判断する（ステップＳ６）。サーバ５０は、機器情報データベース７０に格納される車椅子３０の現在位置７３に基づいて、当該車椅子３０が放置されているか否かを判断する。例えば、サーバ５０は、機器情報データベース７０に格納される現在状態７２が「利用中」であり、かつ、現在位置７３が１日以上変更されていない車椅子３０は、放置されている状態にあると判断する。具体的には、サーバ５０は、各車椅子３０に関して、機器情報データベース７０に格納される現在位置７３が最後に変更された年月日および時刻である最終移動時刻を記録しておき、最終移動時刻から１日が経過している車椅子３０は、放置されている状態にあると判断する。次に、サーバ５０の機器情報管理部５３は、放置されていると判断された車椅子３０の現在状態７２を「利用中」から「放置中」に変更する。なお、サーバ５０は、放置されていると判断された車椅子３０の表示端末２０に、上述の返却警告を送信する。表示端末２０は、図１０に示されるように、受信した返却警告を表示する（ステップＳ５）。なお、機器情報管理部５３は、機器情報データベース７０に格納される現在位置７３が「待機中」である車椅子３０の現在位置７３を「放置中」に変更しない。なお、サーバ５０は、放置されている状態にないと判断された車椅子３０に関して、一定期間経過後に、当該車椅子３０の貸し出し期限７５が過ぎているか否かを判断する（ステップＳ４）。
【００４１】
次に、サーバ５０は、返却警告が表示された表示端末２０が取り付けられている車椅子３０に関して、当該車椅子３０が、所定の返却場所である第１エリア６１に返却されているか否かを判断する（ステップＳ７）。車椅子３０が第１エリア６１に返却されている場合、サーバ５０は、図８に示されるように、返却された車椅子３０の表示端末２０に「貸し出し可」の文字列を表示する（ステップＳ８）。車椅子３０が第１エリア６１に返却されていない場合、サーバ５０は、一定期間経過後に、当該車椅子３０が第１エリア６１に返却されているか否かを判断する（ステップＳ７）。サーバ５０の機器情報管理部５３は、返却されていると判断された車椅子３０の現在状態７２を「利用中」または「放置中」から「待機中」に変更する。
【００４２】
（３）機器管理システムの特徴
本実施形態に係る機器管理システム１０では、病院６０内で貸し出される全ての車椅子３０に、表示端末２０が取り付けられている。病院６０のサーバ５０は、病院６０内に設置されている複数の無線中継器４０を介して、各車椅子３０の状態に関する情報を、各車椅子３０に取り付けられている表示端末２０に送信することができる。
【００４３】
車椅子３０に付随する表示端末２０は、当該車椅子３０が現在貸し出されているか否かを表示することができる。また、車椅子３０に付随する表示端末２０は、当該車椅子３０が現在貸し出されている場合に、車椅子３０が貸し出された者の名前、および、車椅子３０の貸し出し期限を表示することができる。また、車椅子３０に付随する表示端末２０は、当該車椅子３０が病院６０内で放置されているか否かを表示することができる。車椅子３０の利用者、および、病院６０の職員等は、車椅子３０に付随する表示端末２０を視認して、車椅子３０の現在の状態を把握することができる。そのため、病院６０内の人間は、サーバ５０を使用することなく、車椅子３０に付随する表示端末２０のみを用いて、車椅子３０の現在の状態を迅速に把握することができる。従って、機器管理システム１０は、病院６０内で貸し出される車椅子３０の管理を効率的に行うことができる。
【００４４】
また、本実施形態に係る機器管理システム１０では、サーバ５０は、全ての無線中継器４０の設置場所に関する情報を保持している。従って、サーバ５０は、表示端末２０の通信対象である無線中継器４０の設置場所に基づいて表示端末２０の現在位置を推定することで、表示端末２０が取り付けられている車椅子３０の最新の現在位置を常に取得することができる。
【００４５】
また、本実施形態に係る機器管理システム１０では、表示端末２０は、受信可能な電波の強度が最も高い無線中継器４０を通信対象として選択することで、自身に近い場所に設置されている無線中継器４０を通信対象として選択することができる。従って、サーバ５０は、表示端末２０の通信対象である無線中継器４０の設置場所に基づいて、表示端末２０の現在位置を精度よく推定することができる。
【００４６】
また、本実施形態に係る機器管理システム１０では、表示端末２０の表示部２１には、電子ペーパー等の低消費電力ディスプレイが用いられる。機器管理システム１０では、基本的に、機器情報データベース７０に格納される車椅子３０の現在状態７２が変更された時のみに、表示部２１の表示が変更される。そのため、機器管理システム１０において、表示部２１の表示が変更される頻度は少ない。従って、機器管理システム１０は、表示端末２０のバッテリーを交換する頻度を低減することができる。
【００４７】
（４）変形例
以上、本発明の実施形態について説明したが、本発明の具体的構成は、本発明の要旨を逸脱しない範囲内で変更可能である。次に、本実施形態に対する適用可能な変形例について説明する。
【００４８】
（４−１）変形例１Ａ
本実施形態に係る機器管理システム１０は、病院６０内で貸し出される車椅子３０を管理するためのシステムである。しかし、機器管理システム１０は、病院６０内で貸し出される他の機器を管理するために用いられてもよい。また、機器管理システム１０は、病院６０以外の施設で貸し出される機器を管理するために用いられてもよい。
【００４９】
（４−２）変形例１Ｂ
本実施形態に係る機器管理システム１０では、無線中継器４０は、サーバ５０と有線接続されている。しかし、無線中継器４０は、サーバ５０と無線接続されていてもよい。
【００５０】
（４−３）変形例１Ｃ
本実施形態に係る機器管理システム１０では、車椅子３０に付随する表示端末２０は、当該車椅子３０の状態に関する情報を表示することができる。しかし、表示端末２０は、必要に応じて、車椅子３０の現在位置、および、表示端末２０のバッテリー残量等、他の情報をさらに表示してもよい。
【００５１】
（４−４）変形例１Ｄ
本実施形態に係る機器管理システム１０では、各車椅子３０に、１つの表示端末２０が取り付けられている。しかし、必要に応じて、各車椅子３０に、複数の表示端末２０が取り付けられていてもよい。
【００５２】
複数の表示端末２０が車椅子３０に取り付けられている場合、異なる表示端末２０に異なる情報を表示させることができる。例えば、２つの表示端末２０が車椅子３０に取り付けられている場合、一方の表示端末２０は、本実施形態の表示端末２０と同じ情報を表示し、他方の表示端末２０は、車椅子３０の現在位置、および、表示端末２０のバッテリー残量等を表示してもよい。
【００５３】
（４−５）変形例１Ｅ
本実施形態に係る機器管理システム１０では、車椅子３０の利用を希望する者は、病院６０内の所定の受付で車椅子３０の貸し出し登録手続きを行う。その際、病院６０の担当職員が、サーバ５０に接続されている端末等を用いて、貸し出し対象である車椅子３０を選択し、車椅子３０の貸し出し期限を設定する。
【００５４】
しかし、貸し出し対象である車椅子３０を選択、および、車椅子３０の貸し出し期限の設定は、サーバ５０に記憶されたプログラムによって自動的に行われてもよい。例えば、サーバ５０は、機器情報データベース７０に格納される現在状態７１が「待機中」である車椅子３０の一つを貸し出し対象として任意に選択してもよく、車椅子３０の貸し出し登録手続きが行われた日の１週間後の日に貸し出し期限を設定してもよい。
【００５５】
（４−６）変形例１Ｆ
本実施形態に係る機器管理システム１０では、車椅子３０の利用を希望する者は、病院６０内の所定の受付で車椅子３０の貸し出し登録手続きを行う。その際、病院６０の担当職員が、サーバ５０に接続されている端末等を用いて、サーバ５０に記憶されている機器情報データベース７０を更新する。
【００５６】
しかし、車椅子３０の利用を希望する者自身が、サーバ５０に記憶されている機器情報データベース７０を更新して、車椅子３０の貸し出し登録手続きを行ってもよい。例えば、病院６０の入院患者にＩＤカードが付与される場合、車椅子３０の利用を希望する入院患者は、ＩＤカードと、ＩＤカードリーダー等の機器とを用いて車椅子３０の貸し出し登録手続きを行い、サーバ５０に記憶されている機器情報データベース７０を更新してもよい。この場合、貸し出し対象である車椅子３０の選択、および、車椅子３０の貸し出し期限の設定は、サーバ５０に記憶されたプログラムによって自動的に行われる。
【００５７】
また、本変形例では、車椅子３０の利用を希望する者は、タッチパネル式の表示部２１を備える表示端末２０を用いて、車椅子３０の貸し出し登録手続きを行ってもよい。また、表示端末２０は、ＩＤカードリーダー等の機器をさらに備えてもよい。この場合、車椅子３０の利用を希望する者は、車椅子３０の貸し出し場所に行き、車椅子３０に付随する表示端末２０と、自身のＩＤカードとを用いて貸し出し登録手続きを行うことで、車椅子３０を利用することができる。
【００５８】
（４−７）変形例１Ｇ
本実施形態に係る機器管理システム１０では、サーバ５０は、車椅子３０の貸し出し期限が過ぎていると判断した場合、または、車椅子３０が放置されていると判断した場合に、車椅子３０を所定の返却場所に戻す必要がある旨の返却警告を、当該車椅子３０に付随する表示端末２０に送信する。
【００５９】
しかし、サーバ５０は、さらに、他の条件が満たされた場合に、車椅子３０に付随する表示端末２０に返却警告を送信してもよい。例えば、車椅子３０が病院６０の外に持ち出された場合に、サーバ５０は、車椅子３０に付随する表示端末２０に返却警告を送信してもよい。この場合、病院６０の外にも無線中継器４０を設置することで、サーバ５０は、表示端末２０が病院６０の外にあることを推定することができる。
【００６０】
また、表示端末２０が無線中継器４０からの電波を一定時間受信できなくなった場合に、表示端末２０自身が、車椅子３０が病院６０の外に持ち出されたと判断して、返却警告を表示してもよい。
【００６１】
（４−８）変形例１Ｈ
本実施形態に係る機器管理システム１０では、サーバ５０は、車椅子３０の貸し出し期限が過ぎていると判断した場合に、車椅子３０を所定の返却場所に戻す必要がある旨の返却警告を、当該車椅子３０に付随する表示端末２０に送信する。
【００６２】
しかし、車椅子３０に付随する表示端末２０自身が、当該車椅子３０の貸し出し期限が過ぎているか否かを判断してもよい。この場合、表示端末２０は、内部時計をさらに備え、内部時計から取得した現在の日付と、サーバ５０から受信した車椅子３０の貸し出し期限とを比較して、当該表示端末２０が取り付けられている車椅子３０の貸し出し期限が過ぎているか否かを判断する。
【００６３】
（４−９）変形例１Ｉ
本実施形態に係る機器管理システム１０では、サーバ５０は、車椅子３０の貸し出し期限が過ぎていると判断した場合、または、車椅子３０が放置されていると判断した場合に、車椅子３０を所定の返却場所に戻す必要がある旨の返却警告を、当該車椅子３０に付随する表示端末２０に送信する。
【００６４】
しかし、サーバ５０は、車椅子３０に付随する表示端末２０に返却警告を表示するだけでなく、さらに、病院６０の職員に返却警告を他の端末を介して通知してもよい。例えば、サーバ５０は、自身のディスプレイに返却警告を表示してもよく、病院６０の職員が使用する携帯端末に返却警告を送信してもよい。また、サーバ５０は、病院６０の職員に、音声等の他の手段で返却警告を通知してもよい。
【００６５】
（４−１０）変形例１Ｊ
本実施形態に係る機器管理システム１０では、サーバ５０は、車椅子３０の貸し出し期限が過ぎていると判断した場合、または、車椅子３０が放置されていると判断した場合に、車椅子３０を所定の返却場所に戻す必要がある旨の返却警告を、当該車椅子３０に付随する表示端末２０に送信する。
【００６６】
しかし、サーバ５０は、車椅子３０に付随する表示端末２０に返却警告を表示するだけでなく、さらに、車椅子３０の具体的な返却場所を、当該車椅子３０に付随する表示端末２０に送信してもよい。図１１は、車椅子３０の返却場所を表示する表示端末２０の表示例である。図１１に示されるように、表示端末２０は、病院６０の見取り図を表示して、車椅子３０の返却場所を示してもよい。
【００６７】
本変形例では、表示端末２０は、図１０に示される返却警告と、図１１に示される返却場所を示す病院６０の見取り図とを交互に表示してもよく、または、両者を同時に表示してもよい。また、表示端末２０が返却警告を表示している場合に、表示端末２０の入力部２３を操作することにより、表示端末２０は、車椅子３０の返却場所を示す病院６０の見取り図を一定時間表示してもよい。また、表示部２１がタッチパネル式のディスプレイである場合、表示部２１の所定の領域にタップすることにより、表示端末２０は、車椅子３０の返却場所を示す病院６０の見取り図を一定時間表示してもよい。
【００６８】
―第２実施形態―
本発明の第２実施形態に係る機器管理システムについて、図面を参照しながら説明する。
【００６９】
（１）機器管理システムの構成
本実施形態に係る機器管理システム１１０は、病院の入院患者に配膳する際に使用されるトレイを管理するためのシステムである。トレイは、各入院患者の身体状態および病状等に基づいて調理された病院食が載せられる板状の容器である。図１２は、機器管理システム１１０の構成を示すブロック図である。機器管理システム１１０は、主として、複数の表示端末１２０と、複数のトレイ１３０と、複数の無線中継器１４０と、サーバ１５０とから構成される。機器管理システム１１０は、例えば、病院１６０のイントラネット内に構築されるシステムである。
【００７０】
図１３は、機器管理システム１１０が採用されている病院１６０の見取り図の一例である。病院１６０は、第１エリア１６１、第２エリア１６２、第３エリア１６３、第４エリア１６４、第５エリア１６５および第６エリア１６６を有する。以下、第１乃至第４エリア１６１〜１６４は、病院食が提供される入院患者が居る病室であり、第５エリア１６５は、病院食が調理される調理室であり、第６エリア１６６は、病院食を調理室から病室に運ぶ際に利用される廊下であるとする。次に、機器管理システム１１０の各構成要素について説明する。なお、第１実施形態の機器管理システム１０の構成要素と機能が共通するものについては、説明を簡略化する。
【００７１】
（１−１）表示端末
表示端末１２０は、病院１６０内で使用される無線通信端末である。表示端末１２０は、第１実施形態の機器管理システム１０で使用される表示端末２０と同じ機能を有する。表示端末１２０は、電子ペーパーである表示部１２１を備える。表示端末１２０は、トレイ１３０に取り付けられている。
【００７２】
（１−２）トレイ
図１４は、トレイ１３０の外観図である。各トレイ１３０には、１つの表示端末１２０が取り付けられている。表示端末１２０は、入院患者および病院１６０の職員等がトレイ１３０から容易に取り外しできないように、トレイ１３０に固定されている。図１４に示されるように、トレイ１３０には、病院食が入れられる１つまたは複数の容器１３２が載せられる。また、図１４に示されるように、表示端末１２０は、トレイ１３０に容器１３２を載せる際やトレイ１３０から容器１３２を取る際に妨げとならず、かつ、表示部１２１が視認しやすいように、トレイ１３０の一角に、表示部１２１が水平となるように取り付けられている。各トレイ１３０には、固有のＩＤ番号が割り当てられている。
【００７３】
病院１６０の職員は、調理室（第５エリア１６５）から廊下（第６エリア１６６）を通って各病室（第１乃至第４エリア１６１〜１６４）に、病院食が載せられたトレイ１３０を運んで、各入院患者に配膳する。入院患者の食事が完了した後、病院１６０の職員は、後片付けのために、各病室から廊下を通って調理室にトレイ１３０を運ぶ。従って、トレイ１３０は、入院患者が食事をしている間、入院患者に貸し出される機器である。
【００７４】
（１−３）無線中継器
無線中継器１４０は、病院１６０内における表示端末１２０のアクセスポイントとして使用される機器である。無線中継器１４０は、表示端末１２０とサーバ１５０との間の通信を中継する。無線中継器１４０は、図１３に示されるように、第１乃至第６エリア１６１〜１６６の各エリアに少なくとも１つ設置されている。無線中継器１４０は、サーバ１５０と有線接続されている。
【００７５】
（１−４）サーバ
サーバ１５０は、病院１６０内の管理サーバ室に設置されているコンピュータである。サーバ１５０は、主として、機器管理システム１１０の管理者によって使用される。サーバ１５０は、無線中継器１４０を介して、表示端末１２０と無線通信することができる。
【００７６】
図１５は、サーバ１５０の構成を示すブロック図である。サーバ１５０は、主として、通信部１５１と、位置推定部１５２と、食事情報管理部１５３とから構成される。通信部１５１、位置推定部１５２および食事情報管理部１５３は、サーバ１５０のＣＰＵ等の処理装置で実行されるプログラムである。プログラムの実行に用いられるデータは、サーバ１５０のメモリおよびＨＤＤ等の記憶装置に記憶される。なお、サーバ１５０は、全ての無線中継器１４０の設置場所に関する情報を記憶している。
【００７７】
通信部１５１は、サーバ１５０に内蔵されているネットワーク機器等を用いて、無線中継器１４０と無線通信を行う。なお、通信部１５１は、サーバ１５０に接続されているハブおよびルータ等を介して、無線中継器１４０と無線通信を行ってもよい。通信部１５１は、後述する食事情報を、無線中継器１４０を介して、当該トレイ１３０に付随する表示端末１２０に送信する。
【００７８】
位置推定部１５２は、表示端末１２０と無線中継器１４０との間の通信状況に基づいて、病院１６０内における各表示端末１２０の現在位置を推定する。具体的には、位置推定部１５２は、各表示端末１２０の現在位置が第１乃至第６エリア１６１〜１６６のどのエリアであるのかを推定する。位置推定部１５２は、表示端末１２０が通信対象として選択した無線中継器１４０の設置場所に関する情報に基づいて、当該表示端末１２０の現在位置を推定する。例えば、位置推定部１５２は、第１エリア１６１に設置されている無線中継器１４０と無線通信している表示端末１２０の現在位置は第１エリア１６１であると推定する。
【００７９】
食事情報管理部１５３は、各トレイ１３０に載せられている病院食に関する情報である食事情報を管理する。サーバ１５０は、食事情報を格納する食事情報データベースを記憶している。食事情報管理部１５３は、必要に応じて、食事情報データベースを更新し、食事情報データベースからデータを取得する。図１６は、食事情報データベース１７０の一例である。食事情報データベース１７０は、各トレイ１３０に対応するレコードを格納する。各レコードは、ＩＤ番号１７１、現在位置１７２、患者名１７３、配膳先１７４、カテゴリー名１７５、献立名１７６およびカロリー１７７を格納する。食事情報データベース１７０は、ＩＤ番号１７１を主キーとして食事情報を管理する。食事情報データベース１７０は、病院１６０内で入院患者に食事が提供される度に作成される。
【００８０】
食事情報データベース１７０の各レコードに格納されるデータについて説明する。ＩＤ番号１７１は、貸し出し対象の全てのトレイ１３０に一意に割り当てられる３桁の数値である。現在位置１７２は、トレイ１３０の現在の位置を表し、「第１エリア」、「第２エリア」、「第３エリア」、「第４エリア」、「第５エリア」および「第６エリア」のいずれかの文字列である。患者名１７３は、トレイ１３０に載せられている病院食が提供される入院患者の名前である。配膳先１７４は、トレイ１３０に載せられている病院食が提供される入院患者が居る病室（第１乃至第４エリア１６１〜１６４）を表す文字列である。ここでは、配膳先１７４は、便宜的に、「第１エリア」、「第２エリア」、「第３エリア」および「第４エリア」のいずれかの文字列であるとする。カテゴリー名１７５は、病院食の調理担当の職員および配膳担当の職員が参考にするための、病院食の分類名である。カテゴリー名１７５は、例えば、「普通飯」、「減塩食」および「低中性脂肪食」等の、主に栄養学の観点に基づく事務的な名称である。献立名１７６は、病院食が提供される入院患者が参考にするための、病院食の名称である。献立名１７６は、例えば、「ご飯」、「白菜のお味噌汁」および「卵と胡瓜のサラダ」等の、原材料および調理法が把握しやすい具体的な料理名である。カロリー１７７は、病院食の総摂取カロリーである。カロリー１７７の単位は、ｋｃａｌである。なお、食事情報データベース１７０において、病院食が複数の料理から構成されている場合、図１６に示されるように、カテゴリー名１７５および献立名１７６には、それぞれ、複数の文字列からなる配列が格納される。この場合、カテゴリー名１７５および献立名１７６は、配列に格納されている順番で一対一に対応している。例えば、カテゴリー名１７５に格納される配列の最初の要素は、献立名１７６に格納される配列の最初の要素に対応する。
【００８１】
食事情報管理部１５３は、食事情報データベース１７０に格納されるトレイ１３０の現在位置１７２として、位置推定部１５２が推定した、当該トレイ１３０に付随する表示端末１２０の最新の現在位置を利用する。具体的には、位置推定部１５２は、表示端末１２０の通信対象である無線中継器１４０が変更される度に表示端末１２０の現在位置を推定し、食事情報管理部１５３は、表示端末１２０の推定された現在位置に基づいて、食事情報データベース１７０に格納されたトレイ１３０の現在位置１７２を自動的に更新する。例えば、配膳担当の職員がトレイ１３０を調理室（第５エリア１６５）から病室（第１エリア１６１）に移動させた場合、位置推定部１５２は、トレイ１３０に付随する表示端末１２０の移動後の現在位置は第１エリア１６１であると推定し、食事情報管理部１５３は、食事情報データベース１７０に格納されるトレイ１３０の現在位置１７２を「第５エリア」から「第１エリア」に自動的に変更する。これにより、食事情報データベース１７０には、常に、トレイ１３０の最新の現在位置１７２が格納される。
【００８２】
（２）機器管理システムの運用
本実施形態に係る機器管理システム１１０の具体的な運用について説明する。病院１６０内で病院食の提供に使用される全てのトレイ１３０は、予め、ＩＤ番号１７１が付与されて、食事情報データベース１７０に登録されている。また、食事情報データベース１７０に格納される患者名１７３、配膳先１７４、カテゴリー名１７５、献立名１７６およびカロリー１７７は、病院１６０の看護士、栄養士および調理担当の職員等によって、予め入力されている。例えば、カテゴリー名１７５、献立名１７６およびカロリー１７７は、病院１６０の栄養士および調理担当の職員によって入力される。
【００８３】
ここで、表示端末１２０の表示部１２１に表示されるデータに関して説明する。図１７は、トレイ１３０の現在位置１７２が「第５エリア」または「第６エリア」である場合における表示端末１２０の表示例である。図１８は、トレイ１３０の現在位置１７２が「第１エリア」、「第２エリア」、「第３エリア」および「第４エリア」のいずれかである場合における表示端末１２０の表示例である。図１７に示されるように、トレイ１３０が調理室（第５エリア）または廊下（第６エリア）にある場合、表示端末１２０には、食事情報データベース１７０に格納される患者名１７３、配膳先１７４、カテゴリー名１７５およびカロリー１７７に相当する情報が表示される。図１８に示されるように、トレイ１３０が病室（第１乃至第４エリア）にある場合、表示端末１２０には、食事情報データベース１７０に格納される患者名１７３、献立名１７６およびカロリー１７７に相当する情報が表示される。
【００８４】
機器管理システム１１０では、食事情報データベース１７０にはトレイ１３０の現在位置１７２が格納され、かつ、トレイ１３０の現在位置に応じて表示端末１２０が表示する情報が決定される。サーバ１５０は、トレイ１３０が調理室（第５エリア）または廊下（第６エリア）にある場合、図１７に示されるように、病院食の調理担当の職員および配膳担当の職員が参考にするための情報を、表示端末１２０に送信する。一方、サーバ１５０は、トレイ１３０が病室（第１乃至第４エリア）にある場合、図１８に示されるように、病院食が提供される入院患者が参考にするための情報を、表示端末１２０に送信する。このように、表示端末１２０が表示するデータは、表示端末１２０が取り付けられているトレイ１３０の現在位置に応じて自動的に変更される。
【００８５】
（３）機器管理システムの特徴
従来、病院食を入院患者に提供する際に、病院食および配膳に関する情報が記載された紙のメモが用いられている。メモには、入院患者の名前、入院患者が居る病室の番号、および、病院食の名称等が記載されている。メモは、病院食と共にトレイの上に載せられて使用される。しかし、紙のメモを用いる場合、メモがトレイから吹き飛ばされた場合や、トレイに誤ったメモが載せられた場合等に、入院患者に適切な病院食が提供されないおそれがある。また、メモには、「減塩食」および「低中性脂肪食」等の、調理担当の職員が参考にする情報が記載されているが、病院食が提供される入院患者にとって、これらの情報は、料理の詳細が把握しにくい事務的な情報である。病院食は、入院患者にとって、病状回復に役立つ栄養補給源であると同時に、入院生活における楽しみの一つである。そのため、入院患者には、病院食の原材料および調理法が把握しやすい具体的な献立名が提示されることが好ましい。しかし、紙のメモを用いる場合、記載できる情報量には限界があるため、病院食の献立名まで記載することは難しい。
【００８６】
本実施形態に係る機器管理システム１１０では、トレイ１３０に付随する表示端末１２０は、トレイ１３０の現在位置に応じて、表示部１２１に表示される内容を変更することができる。例えば、トレイ１３０が調理室（第５エリア）または廊下（第６エリア）にある場合、図１７に示されるように、表示端末１２０には、病院食の調理担当の職員および配膳担当の職員にとって適切な情報が表示される。一方、トレイ１３０が病室（第１乃至第４エリア）にある場合、図１８に示されるように、表示端末１２０には、病院食が提供される入院患者にとって適切な情報が表示される。
【００８７】
また、表示端末１２０は、トレイ１３０に取り付けられ、かつ、表示端末１２０には、トレイ１３０に載せられる病院食に関する情報がサーバ１５０から送信される。そのため、調理担当の職員は、表示端末１２０が表示している料理をトレイ１３０に載せることで、入院患者に誤った病院食を提供するミスを防ぐことができる。また、配膳担当の職員は、表示端末１２０が表示している配膳先の入院患者にトレイ１３０を渡すことで、病院食を誤った入院患者に提供するミスを防ぐことができる。従って、機器管理システム１１０は、入院患者に適切な病院食を確実に提供することができる。また、病院食が提供された入院患者は、トレイ１３０に付随する表示端末１２０に表示されている献立名を確認することで、病院食の原材料および調理法を把握することができるので、入院生活における食事の楽しさを入院患者に提供することができる。
【００８８】
（４）変形例
以上、本発明の実施形態について説明したが、本発明の具体的構成は、本発明の要旨を逸脱しない範囲内で変更可能である。次に、本実施形態に対する適用可能な変形例について説明する。
【００８９】
（４−１）変形例２Ａ
本実施形態に係る機器管理システム１１０では、無線中継器１４０は、サーバ１５０と有線接続されている。しかし、無線中継器１４０は、サーバ１５０と無線接続されていてもよい。
【００９０】
（４−２）変形例２Ｂ
本実施形態に係る機器管理システム１１０では、トレイ１３０に付随する表示端末１２０は、図１７および図１８に示される病院食に関する情報を表示する。しかし、表示端末１２０は、トレイ１３０に載せられている病院食の原材料および栄養成分等、他の情報をさらに表示してもよい。
【００９１】
（４−３）変形例２Ｃ
本実施形態に係る機器管理システム１１０では、各トレイ１３０に、１つの表示端末１２０が取り付けられている。しかし、必要に応じて、各トレイ１３０に、複数の表示端末１２０が取り付けられていてもよい。
【００９２】
複数の表示端末１２０がトレイ１３０に取り付けられている場合、異なる表示端末１２０に異なる情報を表示させることができる。例えば、２つの表示端末１２０がトレイ１３０に取り付けられている場合、一方の表示端末１２０は、本実施形態の表示端末１２０と同じ情報を表示し、他方の表示端末１２０は、トレイ１３０に載せられている病院食の原材料および栄養成分等を表示してもよい。
【００９３】
（４−４）変形例２Ｄ
本実施形態に係る機器管理システム１１０では、表示端末１２０は、トレイ１３０に取り付けられている。しかし、機器管理システム１１０では、表示端末１２０と一体化しているトレイ１３０が用いられてもよい。
【００９４】
（４−５）変形例２Ｅ
本実施形態に係る機器管理システム１１０では、トレイ１３０に付随する表示端末１２０は、当該トレイ１３０の現在位置に応じて、表示部１２１に表示される内容を適切に変更することができる。しかし、表示端末１２０は、表示部１２１に表示される内容を変更するためのインターフェイスをさらに備えてもよい。例えば、表示端末１２０は、そのようなインターフェイスとして、ボタンおよびタッチパネル等を備えてもよい。
【００９５】
本変形例では、例えば、トレイ１３０が調理室にある時に、調理担当の職員は、表示端末１２０の表示内容を、食事情報データベース１７０に格納されるカテゴリー名１７５から献立名１７６に切り替えることができる。これにより、調理担当の職員は、トレイ１３０に載せるべき病院食の献立名を確認することができる。また、表示端末１２０は、表示部１２１に表示される内容を一時的に変更するためのインターフェイスを備えてもよい。
【００９６】
（４−６）変形例２Ｆ
本実施形態に係る機器管理システム１１０では、トレイ１３０に付随する表示端末１２０は、トレイ１３０に載せられている病院食が提供される入院患者の名前、および、病院食の配膳先を表示することができる。しかし、サーバ１５０は、配膳担当の職員がトレイ１３０に表示されている配膳先と異なったエリアにトレイ１３０を運んだ場合に、当該職員に警告を通知する機能をさらに有してもよい。この場合、サーバ１５０は、表示端末１２０に警告を送信してもよく、職員が使用する携帯端末に警告を送信してもよい。
【符号の説明】
【００９７】
１０      機器管理システム
２０      表示端末
３０      車椅子（機器）
４０      無線中継器
５０      サーバ
６０      病院（施設）
【先行技術文献】
【特許文献】
【００９８】
【特許文献１】特開２００５−１０９９１９号公報
【図１】
2015170000.tif 000003
【図２】
2015170000.tif 000004
【図３】
2015170000.tif 000005
【図４】
2015170000.tif 000006
【図５】
2015170000.tif 000007
【図６】
2015170000.tif 000008
【図７】
2015170000.tif 000009
【図８】
2015170000.tif 000010
【図９】
2015170000.tif 000011
【図１０】
2015170000.tif 000012
【図１１】
2015170000.tif 000013
【図１２】
2015170000.tif 000014
【図１３】
2015170000.tif 000015
【図１４】
2015170000.tif 000016
【図１５】
2015170000.tif 000017
【図１６】
2015170000.tif 000018
【図１７】
2015170000.tif 000019
【図１８】
2015170000.tif 000020